Podtech/llm-jp-corpus-v4-ja_patent huggingface dataset:
(57)【要約】【課題】ヨーグルトを発酵させる装置で発酵終了を調べるのに、手間がかかる【解決手段】ヨーグルトを発酵させる装置で、牛乳の固まりによる、対流停止の温度差を検知してヨーグルトの発酵終了を検知し、自動的に加温を停止させる【特許請求の範囲】
【請求項１】
図１の容器の底に設けた加熱器と、２点間の温度差を測るセンサーにより、牛乳の固まりによる対流の停止を利用して、自動的に発酵終了を検知して、加温を停止させる装置。
【請求項２】
図１で容器の底に設けた加熱器２を、下側センサー３により温度制御し、上側センサー４により温度差を測定し、発酵終了を検知して自動的に加温を停止させる装置。
【請求項３】
図１で容器の底に設けた加熱器２を上側センサー４により温度制御し、下側センサー３により温度差を測定し、発酵終了を検知して自動的に加温を停止させる装置。
【請求項４】
図１の容器の底に設けた加熱器２と、加熱器に付けられたセンサーにより、温度制御し、下側センサー３と、上側センサー４との２点間の温度差を計ることにより、発酵終了を検知し、自動的に、加温を停止させる装置。
【請求項５】
断熱材６によって加熱器の熱容量を少なくできるようにした請求項１から４のの装置。
【請求項６】
容器の寸法を牛乳パックに合わせて、牛乳パックのままヨーグルトを発酵させるようにした請求項１から５の装置。
【発明の詳細な説明】
【発明の詳細な説明】
【技術分野】
【０００１】この発明は、家庭内でヨーグルトを発酵させるとき、用いる装置に関する発明である。
【背景技術】
【０００２】  従来は家庭内でヨーグルトを発酵させるときは、牛乳に種菌を混ぜることにより発酵が始まる。
常温で発酵する菌の場合、そのままおいておけば、固まりヨーグルトとなる。
室温が夏、冬で発酵温度に合わない場合、温度制御された専用の容器で発酵させる場合もある。
高温で発酵する菌の場合は、鍋をコンロにかけたり、専用の温度制御された容器で発酵させる。
【発明が解決しようとする課題】
【０００３】  従来の方法では、発酵が終了したときに固まるが、固まったかどうかをたびたび見に行かなければならず面倒であった。
固まったまま、高い温度でおいておくと、発酵が進みすぎ、酸っぱくなったり、腐敗しやすい。
【課題を解決するための手段】
【０００４】  発酵の終了を自動的に検知して加温を停止すれば発酵過剰とならず、長期保存の利くヨーグルトが出来る。
【発明を実施するための最良の形態】
【０００５】  図１のように、容器の底に設けられた加熱器２で中のヨーグルトを温め、センサーにより温度制御し、発酵の適温に近い温度に保つ。
発酵中、発酵容器５の底で牛乳１は暖められ、比重が小さくなり上昇し、やがて上の部分で冷やされ、比重が大きくなり、底の方に降りてくる、対流を生ずる。
この対流により、発酵容器５の内部の温度差はわずかに押さえられ、かなり均一な温度分布となる。
やがて発酵が終了し、ヨーグルトとなり、固まると対流は停止し、発酵容器５の底の加熱器２の熱は熱伝導のみになるため、上側の温度が下がり、上側センサー４により測定され、発酵終了が検知される。
請求項２の例では、下側センサー３により加温器の温度を制御しているから、比較的、発酵容器５の温度は均一に保たれる長所がある。
ただし外気温が、加熱器の制御された温度に近い場合、発酵終了の温度差が大きく出にくい欠点がある。
発酵容器５を冷蔵庫に入れて用いる場合は、固まると、発酵容器５の上側は温度が下がり、温度の差を見つけやすい。
請求項３の例では上側センサー４で温度制御されているため、発酵が終了すると  、発酵容器５の下側は、温度が著しく上昇するため、終了の温度が比較的簡単に発見できる。
発酵容器５の下側の温度上昇は、ヨーグルトにとっては好ましくないが、早期にそれほど高くない範囲（５度Ｃ位）で停止させれば問題ない
装置を冷蔵庫に入れずに用いた場合でも、また誤って、牛乳を入れずに操作した場合でも、温度差がすぐ現れ、自動的に加温を停止し、安全である。
さらに高度な制御をする場合請求項４の方法も考えられる。
断熱材６はなくても良いが、付けることにより、加熱器の容量を著しく小さくすることが出来（１０Ｗ程度）、冷蔵庫の電力の負担も軽くなる長所がある
ただし断熱材６の厚さが、大きすぎると、加熱を停止した時、冷却するのに時間がかかりすぎ、応答性が悪くなるので、厚さは吟味する必要がある
発酵容器の寸法を牛乳パックに合わせて製作すれば、牛乳パックのまま発酵が出来る。
センサーは牛乳パックに接触するか、近い位置にあるので、ほぼ牛乳内の温度を検知することが出来る
【発明の効果】
【０００６】  発酵が簡単に、自動的に検知、停止できることから、酸っぱさの少ないヨーグルトが安定して、家庭内でも出来るようになった。
装置を冷蔵庫に入れておけば、このように発酵終了を自動的に検知、停止させ、発酵が停止した時点で保存に最適な温度になり、１週間以上は楽に保存が出来る。
夏冬問わず、１年中、牛乳をいれてスイッチを押しさえすれば、以後１週間は食べるだけでよく、発酵中で旅行などに出かけたりもすることが出来る。
特にカスピ海ヨーグルトは、常温発酵菌であり、次から次ぎへと発酵、育成を引き継ぐため、途中失敗することが多いが、このような装置を使えば手を煩わせず、失敗もなく、長期にヨーグルトが育成できる。
【図面の簡単な説明】
【図１】  本発明の側面図
【符号の説明】
１  は牛乳
２  は加熱器
３  は下側センサー
４  は上側センサー
５  は発酵容器
６  は断熱材
【図１】
2005065673.tif 000002
(57)【要約】【課題】  下糸の取付取外をストレス無く、素早く、安全に、使用中不用意に外れないようにすることが目的である。【解決手段】  上記目的を達成するために、本発明は下糸５を懸ける為の爪１と、爪１を囲むガイド２とガイド２に沿って上下に摺動可能なカバー４からなり、前記カバー４を下方へ移動することにより前記爪１の先端部を覆う事を特徴とする釣糸連結具。  使用法は爪１に下糸５を懸ける。カバー４を下げて爪１の先端を覆う。これで下糸５は爪１とガイド２及びカバー４で囲まれて外れることはない。【選択図】図１
2005065662.tif 000002
【特許請求の範囲】
【請求項１】
下糸５を懸ける為の爪１と、爪１を囲むガイド２とガイド２に沿って上下に摺動可能なカバー４からなり、前記カバー４を下方へ移動することにより前記爪１の先端部を覆う事を特徴とする釣糸連結具。
【発明の詳細な説明】
【技術分野】
【０００１】  この発明は釣用の上糸と下糸を連結する為の釣糸連結具に関するものである。
【背景技術】
【０００２】  釣に使う糸は魚の大きさや水流の速さ、深さ等によって糸の種類や太さを変える。
更に現在のように釣人が多くなると他の釣人が嫌がるような釣り難い所も狙わねば釣果が上がらない。例えば鮎の友釣に於いては状況により頻繁に下糸交換をすることが求められる。従来のフック型の釣糸連結具において（例えば非特許文献１参照）簡単に下糸を交換することが出来るものは使用中に糸が緩むと下糸がもう一度フックに懸かることで外れてしまう欠点がある。メーカーでは下糸のちち輪を不精付けするように奨めるが、これでは取外しが面倒という欠点となる。【０００３】  従来の糸止めの有る釣糸連結具（例えば特許文献１参照）は、糸止めを上下に動かす際にフック先端が干渉する。それを和らげるためフック先端に大き目の面取りがしてある。しかし現在は極細糸を使う場合が多くフック先端の面取り部に下糸が懸かり外れる可能性がある。また糸止めを動かす時フック先端が指に当たると指を傷つける恐れがある。。【０００４】  従来のフック型の釣糸連結具はフック先端が外に出ている為、使用中に小枝や草に懸かり、釣をする障害となっている。
【非特許文献１】鮎の王国、ダイワ精工株式会社  ２００３年２月７日発行、ｐ．６０
【特許文献１】実用新案登録第３０６９８１８号（Ｕ３０６９８１８）公報
【発明の開示】
【発明が解決しようとする課題】
【０００５】  本発明は、以上のような従来の欠点に鑑み、下糸の取付取外が素早く出来て、しかも外れ難くなった釣糸連結具を提供する事を目的としている。
【課題を解決するための手段】
【０００６】  上記目的を達成するために、本発明は図１の下糸５を懸ける為の爪１と、爪１を囲むガイド２とガイド２に沿って上下に摺動可能なカバー４からなり、前記カバー４を下方へ移動することにより前記爪１の先端部を覆う事を特徴とする釣糸連結具。
【発明の効果】
【０００７】  以上の説明から明らかなように、本発明にあっては、次に列挙する効果が得られる。
図２で説明すると、本発明の釣糸連結具は爪１の先端がカバー４で覆われる為、下糸５が上方に移動して爪１から抜けたり、もう一度爪１に懸って外れることが無い。
爪１の先端が外に出ていないので、枝等に引掛かり難い。
カバー４を上下に動かすことに対して爪１は干渉しない為、爪１の先端に面取りする必要がない。又爪１は可也自由な形状を選択できる。
操作する時、爪１の先端が外に出ていないため指に当たり難い。もし当たっても尖っていないので指を傷つけない。
図３の爪１とカバー４の間に少々隙間が有っても、図４で判るように、下糸５が爪１の横から懸けられていることから、下糸５の取付角度６により、下糸５はカバー４に押さえられて外れ無い。
【発明を実施するための最良の形態】
【０００８】  以下図面に示す発明を実施するための最良の形態により、本発明を詳細に説明する。
爪１の先端をガイド２と共にカバー４で覆う事で、下糸５が外れること防ぐという目的をを僅かな部品点数で達成した。
【実施例１】
【０００９】  図１は本発明の実施例１の正面図であって、下糸６を懸ける為の爪１と、爪１を囲むガイド２とガイド２に沿って上下に摺動可能なカバー４からなり、前記カバー４を下方へ移動することにより前記爪１の先端部を覆う事を特徴とする釣糸連結具である。また図５と図６は従来品の使用例の図であり７はフック、８は糸止めである。【００１０】  図２では、下糸５を爪１に懸け、カバー４を下方に移動し爪１の先端を覆う。
以上により下糸５が上部に抜けたり、もう一度爪１に懸かって外れることを防ぐ。【００１１】  カバー４を上方に移動して、下糸５を上部に引けば下糸５は外れる。
【産業上利用可能性】
【００１２】  例えばカバー４を軟質樹脂にすることで下糸を傷つけることが無くなり、極細糸を使用することの多い鮎の友釣はもちろん、他の釣でも適応できる。
【図面の簡単な説明】
【００１３】
【図１】本発明の正面図        （実施例１）
【図２】本発明の使用例正面図  （実施例１）
【図３】本発明の拡大断面図    （実施例１）
【図４】本発明の使用例側面図  （実施例１）
【図５】従来品のフック型釣糸連結具使用例図
【図６】従来品の糸止め付き釣糸連結具使用例図
【符号の説明】
【００１４】        １−−−爪
２−−−ガイド
３−−−上糸懸け
４−−−カバー
５−−−下糸
６−−−下糸の取付角度
７−−−フック
８−−−糸止め
【図１】
2005065662.tif 000003
【図２】
2005065662.tif 000004
【図３】
2005065662.tif 000005
【図４】
2005065662.tif 000006
【図５】
2005065662.tif 000007
【図６】
2005065662.tif 000008
(57)【要約】      （修正有）【課題】過去十九年間のべ三万人以上の人にニンニクの成分を実験し血行や抗菌作用が改善され、殆どの病気は回避されることが明らかになり、そのことはこの成分を毎日続けていたスポーツ選手の血液検査から立証された、病気の回避を目的とする。【解決手段】スライス状のニンニクと同量の食塩とで撹拌しながらニンニクの成分を抽出し、その成分を食塩に添加する方法で、日々食塩を使用することで同時にニンニクの成分を摂取され、健康が維持される。【選択図】  なし【特許請求の範囲】
【請求項１】
原料ニンニクと市販されている食塩（財団法人塩事業センター製造を同量（１：１）の割合で攪拌するのが特徴とする方法。
【請求項２】
原料ニンニクの皮をむき、厚さ２ミリから３ミリの状態に切りそれと同量の食塩とを攪拌し、それを３０分毎に繰り返しニンニクから成分が完全に抽出されるまで行う。
【請求項３】
抽出されたニンニクの成分は次第に食塩に添加され、４８時間で完全に添加される、その際には強い刺激も物理変化して消滅される。
【請求項４】
ニンニクとその成分を含んだ食塩の混合物ができ、その中からニンニクを取り除き、それを乾燥させて製造する方法。
【発明の詳細な説明】
【発明の詳細な説明】
【技術分野】
【０００１】本発明はニンニクと食塩との複合食品に関して特にその工業規模の量産に適した新規な製造方法に関する。
【背景技術】
【０００２】ニンニクは古来より、優れた滋養強壮食品として珍重されてきたが、現代になるとその成分分析や効能などに関する科学的な研究も盛んに行われるようになった。【０００３】ニンニクは今世紀中頃、ニンニク特有の臭いがアリインというアミノ酸とアリイナーゼという酵素が交じり合って発生し、さまざまな機能性があることが明らかにされた、特に強力な殺菌抗菌作用のあるアリシンは新鮮な生ニンニクにしか存在しないことが明らかになり、これまでは強い刺激のため煮たり、焼いたりして成分を摂取しようとしてきたのです。
【発明が解決しようとする課題】
【０００４】ニンニクにはいろいろな機能性があることが解明され、それはどういう状態でも摂取すればよいと考えられて、生では刺激的なことから煮たり、焼いたりして食べられてきた、しかしその主成分であるアリインは新鮮な生ニンニクしか存在しないため、その効果が期待できないことが明らかにされた。
【０００５】ニンニクは７月頃収穫し、約１ヶ月の乾燥期間を経て８月末頃から商品として出回り、１０月には発芽するためその成分を利用する期間は約２ヶ月と短いのが最大の課題。
【課題を解決するための手段】
【０００６】ニンニクの主成分はなんといってもアリシンであり、しかも新鮮な生ニンニクにしか存在しないため、化学変化の応用は困難であることから物理変化の応用が用いられた。
【０００７】物理変化とは物質そのものを変えないというのが基本的な考え方であり、食塩と化合させるというのが新しい発見である。
【０００８】本発明はニンニク特有の強い刺激を取り除き新鮮な生ニンニクから主成分であるアリシンを取り出すことにあった、上記の方法でこの両方が解決された。
【発明の実施形態】
【０００９】本発明は生ニンニクを皮をむき厚さ２ミリから３ミリ薄く切り食塩と攪拌することにより、ニンニクの成分を抽出し、食塩に添加する方法である。
【実施例】
【００１０】平成１０年、尾山台高校陸上部（長距離男女）【００１１】平成１１年、尾山台高校陸上部（長距離男女）【００１２】平成１２年、星稜高校陸上部（長距離男女）【００１３】平成１３年、星稜高校陸上部（長距離男女）【００１４】平成１３年、金沢経済大学陸上部（長距離男）【００１５】平成１３年１１月患者名伊藤法子、甲状腺癌手術後左頚部リンパ節転移方術後から平成１４年６月。
【発明の効果】
【００１６】この成分を１９年間、癌、更年期障害、生理不順、肝臓病、神経痛、腰痛、肩こり、五十肩、痔、便秘、花粉症、水虫、シミ、ソバカス、高校生の学業、高齢者、長距離選手の健康管理などに実験し、病気について殆どが治り、とかく高齢者になると癌が発病しやすくなりますが、この実験を１１年間続けましたが癌の方は１人も出ませんでした、陸上はすべて全国大会に出場を果たした、選手の毎月定期的に行われる血液検査からクレアホスフォーキナーゼ（身体の筋肉疲労度）、ヘモグロビン（貧血栄養状態指数）など、健康に必要な数値（１２項目）が常に安定するなどから医学的にもこの成分は立証されたのです。
【００１７】伊藤法子さんは定期的に病院での検査を続けていますが、現在のところ再々発の心配もなく、宅配の仕事に励んでいます、恐らくこの成分を続けたことにより、癌細胞が消滅したことが考えられます。
(57)【要約】【課題】スピニングリールにおいても、初めの一匹を釣った時点で誰でも簡単に棚取りができ、魚影層を狙って効率よく釣りができるようにする。また、両軸リールにおいても使用可能で、従来の水深計の付いているものより製造コストが削減できるのが、本考案の目的である。【解決手段】投入した仕掛けを巻き揚げてくるとき、ハンドルグリップ（３）はハンドル先端部シャフト（５）を軸として、ハンドルを巻き揚げた回数と同じ回数分の回転運動をする。実際は、ハンドル先端部シャフト（５）の方がハンドルグリップ（３）の芯を回転するのであるが、この回転運動を利用して、その回転数を計測積算表示する計測機能部分（６）をハンドルグリップ（３）に内蔵させる。【選択図】  図４
2005065665.tif 000002
【特許請求の範囲】
【請求項１】
投入した仕掛けを巻き揚げてくるとき、ハンドルグリップ（３）はハンドル先端部シャフト（５）を軸として、仕掛けを巻き揚げた回数と同じ回数分の回転運動をする。この回転運動を利用して、リールのハンドルの巻き揚げ回数および投入した仕掛けの移動距離を計測積算表示する計測機能部分（６）を、ハンドルグリップ（３）内に内蔵させる。
【発明の詳細な説明】
【発明の詳細な説明】
【産業上の利用分野】
【０００１】  この発明は、魚釣りに使用するリールにおいて、投入した仕掛けを巻き揚げてくるときのハンドルグリップ（３）の、ハンドル先端部シャフト（５）に対する回転運動を利用して、ハンドルの巻き揚げ回数および投入した仕掛けの移動距離を計測積算表示する計測機能部分（６）を内蔵したハンドルグリップ（３）に関するものである。
【背景技術】
【０００２】  両軸リールにおいては、道糸がリールより出入りする時のスプールの回転運動を利用して水深を測定するデプスカウンターを備え付けたものは極一般的に見られるが、スピニングリールにおいては仕掛け投入時や巻き揚げ時、スプール（２）が回転しないという構造上の問題から、水深を測定する機能を持たせたものは無かった。
【発明が解決しようとする課題】
【０００３】  スピニングリールにおいては道糸が出入りする時、スプール（２）が回転しないという構造上の問題から、水深測定の計測器を備え付けたものは無かった。よって、棚取りが重要なポイントとなる釣りに関しては水深計測器付き両軸リールの使用が殆どであったが、本考案の計測器と色分けされた道糸を併用することで、スピニングリールにおいても簡単にこの棚取りが可能ならしめるようにした。  また両軸リールに於いても本考案の方法によれば、従来の水深計測器付き両軸リール同様の使用効果が期待でき、リールの製造コストも削減できる。
【問題を解決するための手段】
【０００４】  投入した仕掛けを巻き揚げてくるとき、ハンドルグリップ（３）はハンドル先端部シャフト（５）を軸として、ハンドルを巻き揚げた回数と同じ回数分の回転運動をする。実際は、ハンドル先端部シャフト（５）の方がハンドルグリップ（３）の芯を回転するのであるが、この回転運動を利用して、その回転数を計測積算表示する計測機能部分（６）をハンドルグリップ（３）に内蔵させる。
【発明を実施するための最良の形態】
【０００５】  この発明は、ハンドル先端部シャフト（５）のハンドルグリップ（３）に対する回転運動を利用し、投入した仕掛けを何回巻き上げているのかを計測し、その数値をディスプレイ（４）に表示するものである。ハンドル先端部シャフト（５）の回転を検知する方法としては、シャフト先端部をギア（７）構造にして機械的に回転を計測機能部分（６）に伝える方法若しくは、光学的に検知する方法では、計測機能部分（６）に可視光投受光部（８）を設け、ハンドル先端部シャフト（５）の一部に反射マーク（９）を付け、可視光の有る無しによって回転を検出するように、パルスのカウントを行い計測積算表示する方法などがある。
【発明の効果】
【０００６】  棚取りが重要なポイントとなる船釣りに於いて、底から何回巻き揚げた所で初めの当たりが有ったのかを把握できれば、初心者でも簡単に魚影層である棚を釣ることができる。この分野で使用されるリールは、水深計が装備されている両軸リールの使用が殆どであったが、本考案の計測器の使用で、バックラッシュ等ライントラブルが少ないスピニングリールの使用が可能になる。また、船上で行うルアー釣り、中でもジグ系統のルアーを使用するタチ魚、イカ、カツオ等の釣りで海底から表層部まで幅広く魚影層を探る場合にも、その効果を発揮できる。
投げ釣りに於いては、船釣りに於いての縦方向の棚取りが、横方向の棚取りに代わっただけである。シロギスやニベ等の群れを為す魚種であれば、仕掛け投入後、初めの当たりがあった場所をハンドルの巻き揚げ回数で数値的に把握できれば、次の魚を正確に効率よく攻める事ができる。また、かけあがり部分や根の位置も同様に把握でき、海底の様子をイメージすることができるから、同じポイントを繰り返し正確に攻略できる。
本考案のハンドル巻き揚げ回数計測器を内臓したハンドルグリップは、スピニングリールおよび両軸リール双方に使用できるところにメリットがある。仕掛け投入時、どれだけラインが出ているのかは、２５ｍ毎に色分けされたラインの色と更に５ｍ毎にマーキングポイントを施された道糸を併用すれば、正確に効率よく魚影層を釣ることが出来る。    また使用前に、ハンドル１回転に対する道糸の移動距離を計算しておけば、ハンドルの巻き揚げ回数をメートル単位に換算できるし、計測器の仕様によっては、あらかじめハンドル１回転に対する道糸の移動距離を計測器に入力して、巻き揚げ回数と移動距離を同時にディスプレイに表示させることも出来る。
【図面の簡単な説明】
【図１】本発明の計測器内臓グリップ使用のスピニングリールの斜視図である。
【図２】計測器内臓ハンドルグリップを付けたハンドル先端部シャフトの斜視図である。
【図３】ハンドル先端部シャフトの斜視図である。
【図４】シャフト先端部をギア構造にした内部配置図である。
【図５】可視光の有る無しによって回転を検出するように、パルスのカウントを行い計測積算表示する方法をとる場合の、計測機能部分の配置図である。
【符号の説明】
１．ハンドル      ２．スプール      ３．ハンドルグリップ
４．ディスプレイ  ５．ハンドル先端部シャフト  ６．計測機能部分
７．ギア          ８．可視光投受光部  ９．反射マーク
【図１】
2005065665.tif 000003
【図２】
2005065665.tif 000004
【図３】
2005065665.tif 000005
【図４】
2005065665.tif 000006
【図５】
2005065665.tif 000007
(57)【要約】〔課題〕従来のアマモ類の人工種苗生産においては、アマモ種子を越夏させるために水温を４度Ｃから８度Ｃにコントロールして保存し、秋になって水温が１５度Ｃ前後となる１１月頃苗床に播種・発芽させアマモ苗を育成してきた。しかし、この方法では移植した苗が小さく潮流・波浪などによって流失し生育率が低くアマモの種苗生産方式は費用対効果低く困難とされている。〔解決手段〕本発明はアマモ類の人工種苗生産が生育率が低く費用対効果が低い要因をアマモ苗が小さく活力性が低いと判断し、８月からのアマモ種子の越夏工程を中止し、８月から水温を１５度Ｃに保ち苗の播種・中間育成管理を行い、１１月から大型健苗育成管理を行う。【選択図】図１
2005065669.tif 000002
【特許請求の範囲】
【請求項１】
アマモ類の人工種苗生産工程は一般に、６月上旬頃アマモ花枝（花穂）採取・水槽熟成、８月上旬種子採取・選別・種子超夏保存（４度Ｃ〜８度Ｃ）１１月苗床播種  １２月アマモ苗育成  ３月アマモ苗移植の生産工程を辿るが、本発明では８月上旬における種子超夏保存処理（４度Ｃ〜８度Ｃ）の中止１をするとともに、８月から１０月までの３ヶ月間、水温を１５度Ｃ前後に保ちながら苗床にアマモ種を播種・発芽・施肥・育成管理を陸上水槽で中間育成管理２を行い、１１月から翌年３月まで大型健苗管理３を行い移植出荷する。
【発明の詳細な説明】
【発明の詳細な説明】
〔発明の属する技術分野〕
【０００１】    本発明は、魚介類の産卵場として重要なアマモ類の人工種苗生産技術に関する。
〔従来の技術〕
【０００２】    従来のアマモ類の人工種苗生産においては、アマモ種子を越夏させるために水温を４度Ｃから８度Ｃにコントロールして保存し、秋になって水温が１５度Ｃ前後となる１１月頃苗床に播種・発芽させアマモ苗を育成してきた。しかし、この方法では移植した苗が小さく潮流・波浪などによって流失し生育率が低くアマモの種苗生産方式は費用対効果低く困難とされている。
〔発明が解決しょうとする課題〕
【０００３】    本発明はアマモ類の人工種苗生産が生育率が低く費用対効果が低い要因をアマモ苗が小さく活力性が低いと判断し、８月からのアマモ種子の越夏工程を中止し、８月から水温を１５度Ｃに保ち苗の播種・中間育成管理を行い、１１月から大型健苗育成管理を行う。
〔課題を解決するための手段〕
【０００４】    上記目的を達成するために、本発明はアマモ類の種苗を超夏させるため従来８月から１０月まで４度Ｃ〜８度Ｃの低温管理を行なって１１月に播種・発芽・中間育成し３月に移植していたものを、低温超夏工程をやめて８月から１０月までの３ヶ月間水温を１５度Ｃ前後に保ちながら苗床水槽に播種・発芽・中間育成をして１１月には間引き管理をしながら大型健苗とし翌年３月移植するものである。
〔発明の実施の形態〕
【０００５】    発明の実施の形態を実施例にもとづき図面を参照して説明する。
図１において、アマモ類の人工種苗生産工程は一般に、６月上旬頃アマモ花技（花穂）採取・水槽熟成、  ８月上旬種子採取・選別・種子超夏保存（４度Ｃ〜８度Ｃ）１１月苗床播種  １２月アマモ苗育成  ３月アマモ苗移植の生産工程を辿るが、本発明では８月上旬における種子超夏保存処理（４度Ｃ〜８度Ｃ）の中止１をするとともに、８月から１０月までの３ヶ月間、水温を１５度Ｃ前後に保ちながら苗床にアマモ種を播種・発芽・施肥・育成管理を陸上水槽で中間育成管理２を行い、１１月から翌年３月まで大型健苗管理３を行い移植出荷する。
〔発明の効果〕
【０００６】    本発明は、以上説明した世に構成されているので、以下に記載されるような効果を奏する。
【０００７】    本発明は、アマモ類の人工種苗生産工程における８月からの種子の越夏管理工程を省き、直ちに８月から１０月まで播種・施肥・中間育成管理を行うことができる。
【０００８】    これまでのアマモの播種・中間育成は１１月から翌年３月までで苗は弱小でありアマモの移植効果はきはめて低かったが、本発明による１１月から翌年３月までの大型健苗管理によって、移植効果は向上しアマモ場造成に大きく貢献する。
【０００９】    アマモ場造成は、メバル。アナゴ、スズキ、などの稚魚やウニ。カニ、エビなとの産卵場や生育・繁殖場であり、水産資源の増大と安定に役立つ。またジュゴンの餌としても知られている。
【００１０】    本発明によるアマも場造成は、海の富栄養化の原因となる窒素やリンを吸収し、内湾・浅海域の水質浄化にも重要な役割を果たしているので、埋め立てや水質悪化により衰退しつつあるアマも場を再生させることが期待されている。
【００１１】    本発明によるアマも場造成は、二酸化炭素を吸収・固定し、地球温暖化対策にも貢献する。
【図面の簡単な説明】
【図１】アマモ類の人工種苗生産工程を示す
【符号の説明】
１アマモ種子の越夏処理（水温４度〜８度Ｃ）の中止
２アマモの中間育成管理
３アマモの大型健苗管理
【図１】
2005065669.tif 000003
(57)【要約】【課題】弾力性繊維布袋歯磨き用具にペット個々の好物の固形餌を入れる事により、ペットに与えた場合戯れながら袋を破こうと噛む引張る頻度が増すうちに口中の汚れ及び歯垢の除去可能なペット歯磨き用具を提供する。【解決手段】弾力性繊維布を使用したペット歯磨き用具本体に餌入れ可能な開口部を設け餌を入れた後その餌が容易に出ぬよう内蓋と外蓋を設けることを特徴とするペット歯磨き用具。【選択図】図２
2005065663.tif 000002
【特許請求の範囲】
【請求項１】
弾力性繊維布を袋状にし、餌を入れることが可能な開口部及び袋内の餌が容易に出ぬための内蓋と外蓋を設けたペット歯磨き用具。
【発明の詳細な説明】
【技術分野】
【０００１】  本発明はペット用の歯磨きを、弾力性繊維布を袋状にした中にペット個々が好物の固形餌を入れることを可能とした形状にて、ペットが袋内の餌を欲して噛んだり引張る時に口中の汚れ及び歯垢除去を目的としたペット歯磨き用具に係るものである。
【背景技術】
【０００２】  従来ペット歯磨きはペットの好む香料入り玩具や歯の健康保持食という形態であり歯垢を除去することは容易ではなかった。
【発明の開示】
【発明が解決しようとする課題】
【０００３】  そのために次のような問題点があった。
（イ）ペット玩具はくわえたり戯れたりしているが歯垢がとれるまでに至らない。
（ロ）歯の健康食は食べさせて内部より歯の健康増進を図ろうとするものであり、即          歯垢除去にはならない。
（ハ）歯の健康食そのものでも食べることにより歯垢は付着する。
本発明は、これらの問題点を解決するためになされたものである。
【課題を解決するための手段】
【０００４】  ペットの歯磨きに際し、弾力性繊維布の袋状形態に餌入れ可能な開口部及び袋内の餌が容易に出ぬよう内蓋と外蓋を設け袋内の餌はペット個々の好物の固形餌を入れることにより食欲に誘われ噛むことや引張る頻度が増すことで口中の汚れ及び歯垢除去につながる。
【発明の効果】
【０００５】  玩具と歯磨き両方を一体化したことにより遊びながら歯磨きになり、袋内の餌も最後に食べられることで、遊び、歯磨き、食が連結になった。
【発明を実施するための最良の形態】
【０００６】  以下、本発明の実施の形態について説明する。
（イ）ペット歯磨き用具本体（１）に餌入れ可能な開口部（２）を設ける。
（ロ）ペット歯磨き用具本体の餌入れ開口部の所に内蓋（３）を設ける。
（ハ）餌を入れた後、内蓋をして更に本体に縫いつけてある外蓋（４）をひっくり返          す方法でおおいかぶせ開口部が見えぬよう配す。
本発明は以上のような単純な構造でありながら従来の問題点をすべて満足させ得るものである。
【図面の簡単な説明】
【０００７】
【図１】本発明の斜視図
【図２】本発明の一部を切り欠いた側面図
【符号の説明】
【０００８】    １  ペット歯磨き用具本体
２  餌入れ用開口部
３  内蓋
４  外蓋
５  縫い目
【図１】
2005065663.tif 000003
【図２】
2005065663.tif 000004
(57)【要約】      （修正有）【課題】青果物の残留農薬除去及び除菌、殺菌を短時間で効率よく行う装置を提供する。【解決手段】青果物を、駆動した青果物残留農薬除去装置の、光触媒である酸化チタンを蒸着した金属網コンベアー５に置き、搬入口１１より、除去装置ボックス（内部酸化チタン蒸着）８に搬入し、人工太陽灯＜可視光線＞１０を通過し、紫外線灯１の照射が全体に届くように上面、下面から照射し、除去装置ボックス（酸化チタン蒸着）８から搬出口１２を通過し装置外に搬出されることよりなる紫外線により除菌、殺菌が同時にできる青果物残留農薬除去装置。【選択図】図３
2005065683.tif 000002
【特許請求の範囲】
【請求項１】
紫外線と酸化チタンの光触媒を利用し、青果物の残留農薬を除去し徐菌殺菌も同時に行う装置である。
【発明の詳細な説明】
【発明の詳細な説明】
【技術分野】
【０００１】紫外線を照射することにより、徐菌殺菌する能力はすでに周知の通りであるが青果物の残留農薬に対して照射した結果、残留農薬が減少した事に注目し、さらに、酸化チタンの光触媒効果を利用し、青果物の残留農薬を除去する事を可能とした。
【背景技術】
【０００２】装置としてはないが、水洗いするか、農薬散布後の残留日数を厳守するしか方法が無いのが、現実である。
【発明が解決しようとする課題】
【０００３】農薬の量、残留日数を守るように指導されていても、抜き打ち検査の結果、残留農薬が基準値を上回っている現実があり、生産者と消費者との間の信頼関係が崩れるまでに社会的問題へと発展している。
【課題を解決するための手段】
【０００４】この装置の発明は、紫外線の照射と酸化チタンの光触媒効果により、青果物の成分及び、品質を劣化させる事なく、残留農薬を短時間で除去する事を可能にした装置である。
【発明を実施するための最良の形態】
【０００５】電源（４）を入れ、制御ボックス（３）内のスイッチを入りにすると、モーター（２）が廻り、駆動装置（６）金属網コンベアー（５）と同時に紫外線灯（１）と人工太陽灯（１０）換気扇（１５）が点灯、稼働する。金属網コンベアー（５）に青果物を置くと、搬入口（１１）に運ばれ、人工太陽灯（１０）の下を通過し上下より紫外線灯（１）の照射を受け、残留農薬が除去され、再度、人工太陽灯（１）の照射を受け、搬出口（１２）より出てくる。
【発明の効果】
【実施例】
【０００６】散布農薬が太陽光により徐々に減少分解はすでに周知の通りである。短時間で農薬が減少、分解が可能か紫外線照射実験を行い、同時に青果物の成分分析と目視実験を行った。
下記に実験データーを記載する。
2005065683.tif 000003
2005065683.tif 000004
2005065683.tif 000005
2005065683.tif 000006
上記の実験機の内容は、高さ３００ｍｍ．奥行９５０ｍｍ．巾１０７０ｍｍ．の金属製ボックス、内部天井に紫外線灯を２０Ｗ×４本  床面に２０Ｗ×３本を取付け、床面より上に１５０ｍｍの所に金属製ネットを取付け、青果物、米を金属製ネットの上に置き、３分間、１０分間、２０分間、照射実験を行った。
（実験  １）ではスミチオン（ＭＥＰ）を１０００倍の希釈液にし、噴霧器によりネギに散布し、乾燥した後、３分間の照射実験を行った。
（実験  ２）ではスミチオン（ＭＥＰ）を１０００倍の希釈液にし、噴霧器によりキュウリに散布し、乾燥した後、３分間の照射実験を行った。
（実験  ３）では玄米をステンレス容器に入れ紫外線を２０分間照射し成分分析を行い、照射有りと、照射無し、の比較を行った。
（実験  ４）ではネギを金属製ネットの上に置き、上面、下面より１０分間照射し照射有りと、照射無し、の比較を行った。
（実験  ５）では上記青果物を金属製ネットの上に置き、上面、下面より１０分間照射し、照射有りと、照射無し、の比較を６日間冷蔵庫に保存し、目視実験を行った。
上記の如く、５回の実験を行った。実験１、実験２、の散布農薬除去実験結果、照射時間３分間の照射で、確実に農薬の減少が数値に結果として記録された。
実験３、実験４、の玄米とネギの成分分析の結果は、玄米の照射時間２０分間、ネギの照射時間１０分間で行ったが、ほとんど変化は見られなかった。
実験５、の青果物の目視実験は、照射時間１０分間行い目視を６日間行った。
青果物の照射有り、照射無し、の変化を記録したが変化は見られなかった。
実験の結果、短時間の照射で減農薬が可能となり、青果物においても成分が変化する事もなく、また、目視実験においても、青果物の劣化もなく確実な成果がでた。
本発明は上記の実験結果に基づき、確実に青果物等の残留農薬の除去が可能に成る事を突き止め、酸化チタンの光触媒効果を利用してさらに、効率良く、安全に残留農薬を減らす装置を発明し、残留農薬を確実に短時間で減らす事が出来、安全な食生活に貢献が出来る事を確信した。
金属網コンベアー式以外にも、紫外線灯と酸化チタン蒸着、及び太陽灯（可視光線）を利用した方式として下記の装置を考案し試作した。
【実施例１】円筒式、
【実施例２】振動コンベアー式
【実施例３】キャタピラー式
【実施例４】引き出し式、
【実施例５】攪拌式等（全て多段式を含む）などの装置を考案した。
2005065683.tif 000007
2005065683.tif 000008
2005065683.tif 000009
2005065683.tif 000010
2005065683.tif 000011
【図面の簡単な説明】
【図１】本発明の斜視図
【図２】本発明の正面図
【図３】本発明の断面図
【符号の説明】
（１）は紫外線灯
（２）はモーター
（３）は制御ユニット（スイッチ・インバーター等含む）
（４）は電源
（５）は金属コンベアー（酸化チタン蒸着）
（６）は駆動装置
（７）はガイドローラー
（８）は除去装置ボックス内部酸化チタン蒸着
（９）はガイドレール
（１０）は人工太陽灯（可視光線）
（１１）は搬入口
（１２）は搬出口
（１３）は防御カバー
（１４）は除去装置室
（１５）は換気扇
【図１】
2005065683.tif 000012
【図２】
2005065683.tif 000013
【図３】
2005065683.tif 000014
(57)【要約】【課題】  雀、烏等鳥害を防止する為には  作物の上３０〜５０ｃｍの高さに鳥害防止用ポリエチレン防鳥糸を５０〜６０センチ間隔程度で多数引っ張る事が抜群の効果があるしかし糸張り方法に効果的なものがない    多数の糸を  同時にス厶ースに農家の誰にでもやさしく簡単に  糸張りの出来る事が課題である【解決手段】  １００ｍに及ぶ長田等で１０本以上多数の糸を同時に引っ張る為には  防鳥糸ボビンが同時に適度に回転し過回転による糸の弛みが軸に巻き付く故障を除去する必要がある  ボビンの上，下にゴム板を取り付け  簡単なネジの調整による摩擦制動を利用することがやさしくて  誰にでも出来る効率的な手段である【特許請求の範囲】
【請求項１】
作物の成熟期に雀、烏等の鳥害を受け易い田、畑に事前にポリエチレン防鳥糸ボビン１１個から糸を同時に引き出し  誰にもやさしく楽にそして能率的に引っ張ることが出来る防鳥糸張り器である
【請求項２】
防鳥糸ボビンの上、下に摩擦制動用ゴム板を取り付け  ネジで制動を調整しボビンの過回転防止により  糸の弛みによる軸への巻付き故障を防ぎそれぞれ作業者の歩調に合わせ  スムースに糸を繰り出す防鳥糸張り器である
【発明の詳細な説明】
【技術分野】
【０００１】  作物の成熟期に雀、烏等の鳥害を受け易い田、畑に事前にポリエチレン防鳥糸ボビン（市販）１１個から糸を同時に引き出し  誰にもやさしく楽にそして能率的に引っ張ることが出来る防鳥糸張り器である
【背景技術】
【０００２】  雀、烏等の鳥害を防止する為カガシ、目玉風船、テープ等種種あるが距離の長い広い田、畑ではその効果は少ない  ポリエチレン防鳥糸は安価で５０〜６０ｃｍ間隔程度で何本も張ることが抜群の効果が得られる  従来糸張りはボビン２〜３個を個々にビニール袋又はボール箱に入れて引き出し歩きをするが袋がボビン回転に耐えられず破れたり  箱内で引っかかったりしてうまく繰り出されて来なかった  防鳥糸の効果は認めながらも糸張り作業が大変な為利用されることが少なかった
【発明の開示】
【発明が解決しようとする課題】
【０００３】  距離の長い広い田，畑での鳥害防止にはポリエチレン防鳥糸が強く安価で５０〜６０ｃｍ間隔程度で何本も張ることが抜群の効果が得られる  しかし糸張りは２〜３本  同時に防鳥糸ボビンから引き出す事が限界で  防鳥糸張り器は  １度に１１本張ることが出来作業もやさしく  且つ省力的で  田、畑を往復する事により２２本  約１０〜１３ｍ幅を張ることが出来る
【課題を解決する為の手段】
【０００４】  防鳥糸張り器に防鳥糸ボビンを１１個並べて同時に張ろうとしても  ボビンの回転し過ぎが起こり  その為弛んだ糸が軸に巻きつきスムースに糸が引き出せない  そこでボビンの上下にゴ厶板を取り付け  上からの締め付けネジによりボビンとゴ厶板を適当な隙間に調整し  摩擦制動をかけボビンの回転し過ぎを防止する
【発明の効果】
【０００５】  森林、民家の近く或いは減反田の草むらのそばの田，畑は雀、烏等の鳥害を受け易く  その対策には農家も種種方法を考えて来たが適切な方法は無かった  防鳥糸の効果はあるが多数の糸張りが大変な作業の為その利用度は少ない  防鳥糸張り器を利用すればボビンの糸繰り出し状況を常時監視する必要もなく  防鳥糸張り器を持って真っ直ぐに歩くだけで誰にでもやさしく簡単に  多数の防鳥糸を張る事が出来省力的で効果も抜群である
【発明を実施する為の最良の形態】
【０００６】  防鳥糸張り器を適切に利用する為次のように準備する
【実施例１】
【０００７】  防鳥糸張り器の１１本の軸に１１個穴の幅７ｃｍの摩擦制動用ゴム板を取り付け最下部まで押し込む
【実施例２】
【０００８】  １１個の防鳥糸ボビンを糸の引出し時  同方向に回転するようにそれぞれ取り付ける
【実施例３】
【０００９】  １１個穴の幅３ｃｍの摩擦制動用ゴム板をボビンの上に取り付けボビンの回転動作を調整しながらネジを軽く締め付ける
【実施例４】
【００１０】  ボビンの糸がばらつかない様に下部ゴム板の１１個の切り傷へ糸先を挟んでおき現場迄移動する
【産業上の利用可能性】
【００１１】  防鳥する田、畑の両端に幅１杯  糸を結びつける為のパイプ（１９ｍｍ程度）を事前に作物の上３０〜５０ｃｍ程の位置に準備しておく  １１個の防鳥糸のセットされた糸張り器をパイプの前に立てパイプに５０〜６０ｃｍ間隔程度でボビンの糸を１〜１１番まで順次結びつける  結び終わったら  糸張り器の支柱を持ち上げボビン列を頭上位置にして対面に向かって歩けば  防鳥糸は１１本同時に自動的に張り出てくる  途中止まってもボビンも摩擦制動により同時に止まるので過回転せず防鳥糸が軸に巻き込んだりすることはない  田，畑の他端まで歩いたら防鳥糸張り器の支柱を土に立て１〜１１の順に防鳥糸を順次弛みを取りながら他端のパイプに結びつけて行く  帰りも同様の操作をすれば往復で幅１０〜１３ｍが完成する  更にボビン１３個、１５個と防鳥糸を同時に繰り出せる糸張り器に発展する事も可能である
【図面の簡単な説明】
【００１２】
【図１】  防鳥糸張り器にポリエチレン防鳥糸ボビンと上下摩擦制動ゴム板をセットした正面中間部分の説明図である  （実施例１，２，３、４）
【図２】  防鳥糸張り器にポリエチレン防鳥糸ボビンと上下摩擦制動ゴム板をセットした平面中間部分説明図である    （実施例１，２，３，４）
【符号の説明】
【００１３】１  軸  径９ｍｍ  長さ１２ｃｍ  １０個
２  中心軸  径９ｍｍ  長さ３０ｃｍ  １個
３  摩擦制動調整ネジ  径９ｍｍ  １１個
４  摩擦制動上部ゴム板  幅３ｃｍ  厚さ５ｍｍ  長さ８８ｃｍ  １個
５  摩擦制動下部ゴム板  幅７ｃｍ  厚さ５ｍｍ  長さ８８ｃｍ  １個
６  糸挟み用切り傷  深さ５ｍｍ
７  ポリエチレン防鳥糸ボビン  １１個
８  ビニペット鉄板  幅３ｃｍ  長さ８８ｃｍ
９  支柱  長さ１ｍ３０ｃｍ  １個
【図１】
2005065684.tif 000002
【図２】
2005065684.tif 000003
(57)【要約】【課題】  煎茶の味・香・色を向上させ、お茶の品質を低下させず、簡易で便利さを提供する。【解決手段】  煎茶を０．０５〜１．００ｍｍ程度に粉砕する。その際、０．２〜０．４ｍｍ前後の茶葉が重要役割をするため、この大きさの粒子が品質を左右する。【特許請求の範囲】
【請求項１】
流通されている煎茶を０．０５〜１．０ｍｍ程度に粉砕し、０．２〜０．４ｍｍ前後の茶葉が標準的にはおよそ２０％程度含まれた粉の粒子が混じりあった状態にする。場合によっては役割を増減させて、味の調節を行う。
【発明の詳細な説明】
【発明の詳細な説明】
【技術分野】
【０００１】  この発明は急須や茶こし・ティーバッグ等の抽出する道具を使わず、湯呑みの中に０．７ｇ前後の粉を入れ湯または水を注ぐだけで、従来の煎茶同様またはそれ以上の味・香・色が楽しめるようにした煎茶である。
【背景技術】
【０００２】  今までの煎茶は急須や茶こし等の道具を使わないと抽出できず、飲用する時・場所も限定されていた。また、２人以上の人数が対象になりがちであり、１人で飲む時はためらわれる傾向にあった。【０００３】  玉露を臼で挽き粉にしたものが抹茶であり、茶筌を使い湯と粉を攪拌したり練ったりして、混ぜ合わせ飲むことができる。玉露として飲むより抹茶として飲むほうが一般的にはおいしいと感じる人が多い。しかし、煎茶は抹茶のように細かく粉砕してしまうと煎茶本来の旨味がなくなり、嗜好品としての価値がなくなる。また、粉は攪拌しなければきれいに湯に溶けず、簡易的ではない。【０００４】  煎茶本来の味・香を保つためには粉にする大きさだけではなく、湯に溶ける煎茶として市場にある、特公平５−３０４８９０をはじめ数々の粉末茶のように抽出したエキスを加工したり、インスタントコーヒーのように簡単に湯や水に溶け、便利さを追求したり、葉の成分の有効なものを取り出すこと等、煎茶に手を加えると味・香が変化してしまう。特公平２００１−４５９７１のように茶の製造過程を変化させ製造しても、煎茶の長所はなくなる。粉末茶は味・香が従来の煎茶とは異なり、茶の成分の有効さで健康飲料として市場にある。
【発明が解決しようとする課題】
【０００５】  次のような欠点があった。
（イ）自由に飲み、楽しむことができなかった。
（ロ）粉末茶等は、味・香が本来の煎茶でなく、嗜好品にならなかった。
（ハ）茶殻の処理・急須の洗浄が面倒で、コーヒーや作り置き飲料（清涼飲料）の様なゴミの処理が簡単で手軽な飲料が選ばれる傾向となり、煎茶を飲む人口が減少している。農林水産省の統計情報部によると昭和６０年以降コーヒー・ソフトドリンク・ウーロン茶などの発達とともに飲料全体の消費量は増加しているが、煎茶は減少している。平成１４年産一番茶生産量（平成１４年７月１６日統計情報）においても前年産に比べて４％も減少している。緑茶の成分の良好性から健康食品として大きく見直されてきた昨今であり、また緑茶飲料（ペットボトル）も増加傾向であり、新たな緑茶の消費形態へと変化しつつあるが、従来の煎茶としての需要は減少している。
【課題を解決するための手段】
【０００６】  流通されている煎茶を０．０５〜１．００ｍｍ程度に粉砕し、０．２〜０．４ｍｍ前後の茶葉が標準的にはおよそ２０％程度含まれた粉の粒子が混じりあった状態にする。場合によっては役割を増減させて味の調節を行う。
【発明実施の形態】
【０００７】  煎茶５０ｇをミルサーで２０秒粉砕し１ｍｍ目のふるいにかけて茎を除き、煎茶５０ｇをミニ粉砕機ＤＭ−６で２０秒粉砕したものとを合わせる。これが、急須で抽出したもの同様、またはそれ以上の味・香を楽しむことができる。さらに、湯を注ぎ、飲む際にも良い具合に茶葉が湯呑みの底に沈み、気にならず飲むことができる。
【発明の効果】
【０００８】  湯を注いだ時に茶葉が広がり、約０．２〜０．４ｍｍの茶葉が重要な役割をすることにより、従来の急須等で抽出した時の煎茶の味・香を出すことができる。さらに、それ以下の粒子が濃度の役割をし、飲む時に茶葉が邪魔にならず、良い具合に底に沈む。
【０００９】  ０．０１ｍｍ以下に粉砕することは茶葉の組織を壊し、従来の煎茶の味・香を変化させてしまうため、０．０１ｍｍ以上の粒子とする。湯呑み茶碗に直接約０．７ｇの量を入れ、湯を注ぐと茶葉が底に沈み簡単に飲むことができる。２杯目からは少々味が薄くなるが、３杯分は味わうことができる範囲で楽しめる。また、残った茶葉は、そのまま食べることも可能である。
【００１０】  茶葉の楽しみ方の応用が広がる。例としては、ふりかけに混ぜて食べる・そのままお茶漬けにして食べる・料理の材料・和菓子や洋菓子の材料等々として多きにわたる。
【００１１】  工場で製造させたものを間屋・小売店・消費者という流通をしている。しかし、この製造過程は同じ銘柄の茶葉が原料となるので、粉末にすることが容易で、粉砕方法も簡単であるため、小売店においても製造可能となる。
(57)【要約】      （修正有）【課題】環境に優しい植木鉢を得る。【解決手段】従来はその目的が、培養土の容器とされていた養成鉢を培養土台とする、着生植物の自生樹種（杉その他）又は類似の建築廃材や林業廃材を原材料とした木製の養成鉢とした。この養成鉢は木材を縦に加工し、植え込み穴および排水孔を設け、過剰水の排除と通気の働きを持たせた。対象植物を植え込み鉢と同種の鋸くずで間隙を充填して完了するので、培養土は一切不要である。水遣りは、適当に掛け水するか、受け皿に少量の置き水をすればよく、材質上の特性と鉢の構造上の効果で育成に適した乾湿が保持され、さらに鉢本体に保有する養分で数年間施肥は不必要（種類により異なる）である。木製養成鉢は、年月の経過とともに植え込み植物に好結果が得られ、経験上５〜１０年使用できる。使用後は、「燃えるコミ」としての処分又は、土中に埋没すれば有機物として土に還り全く環境に影響を及ぼさない。【選択図】図１
2005065681.tif 000002
【特許請求の範囲】
【請求項１】
特定の鑑賞用植物の鉢栽培において、用土を必要としないこと及び、使用後の処分にあたり環境に影響を及ぼさないことを特徴とする養成鉢。
【請求項２】
前記用土を必要としない養成鉢は、建築廃材・林業廃材を原材料とする木製鉢で、鉢本体が育成養分を有する栽培用土としたこと及び、使用済み後の廃棄処分は「燃えるゴミ」または土中に埋没すれば有機物しして土に還ることを特徴とする請求項１記載の鑑賞植物栽培用木製養成鉢。
【発明の詳細な説明】
【技術分野】
【０００１】  この発明は、鑑賞用着生植物（ラン類・シダ類・その他）の栽培方法に関する。
【背景技術】
【０００２】  従来の植物栽培に用いられる各種の鉢類は、培養土を収める容器としての効用を主たる目的とし、外観形状は鑑賞及び取扱いの利便を考慮し、これを従の要素として作られているものである。
【発明の開示】
【発明が解決しようとする課題】
【０００３】  以上の技術よれば、培養土として栽培植物の種類ごとに対応する培養土を選定し、これを調達しなれればならずかつ、水遣り加減は種類によって大きな差異があり、良好な栽培結果を期待するには相当な経験と研究が必要である。
そこで、この発明は、特定の培養土を必要とせずかつ、適当な水遣りで良好な栽培結果を得ようとすることを課題とする。
【課題を解決するための手段】
【０００４】  以上の課題を解決するために、第一発明は、栽培の鉢本体を容器でなく培養土台とし、着生植物が自生する樹種と同種または、類似の廃材を用いた木製としたことを特徴とする養成鉢である。また、第二発明は、木材の特性を生かし縦に加工しかつ、植え込み穴下に排水孔を設けることを特徴とする養成鉢であ。
【発明の効果】
【０００５】  第一発明、第二発明によれば、鉢本体が培養土台であるため培養土が不要になり、これらの選定調達が不必要である。
植物栽培上で繁雑な水遣り水加減は、鉢の材質上の特性と鉢の構造上の効果で、適正な乾湿が保たれ、かつ鉢本体が養分を含むため施肥はほとんど必要ない。
【発明を実施するための最良の形態】
【０００６】  この発明の実施形態を、図１に示す。
養成鉢の本体は木製であり、図１は基本構造を示したものであって実態は、大中小と寸方が多種になる。
【実施形態の効果】
【０００７】  この実施形態によれば、植物を植え込み穴に入れ隙間に鉢本体と同質の「鋸くず」で充填して植付け、上部より給水し又は受け皿に水をおくこで完了し、汚れず清潔である
【他の実施形態】
【０００８】  図１では円形漏斗形で単穴単孔であったが、形状は方角八角等多種多様、構造も単穴単孔のほか複数の構造となるものもある。
【図面の簡単な説明】
【０００９】
【図１】この発明の一実施形態を示す断面図である。
【図２】従来技術を示す断面図である。
【符号の説明】
【００１０】▲１▼  植物栽培用木鉢本体    ▲２▼  植物植え込み穴    ▲３▼  排水孔
【図１】
2005065681.tif 000003
【図２】
2005065681.tif 000004